(57)【要約】【課題】本発明は、外部機器にデータ転送を行いたいデータを膨大なデータの一覧から探し出すことなく、容易にデータ転送を実現することができる映像記録再生装置を提供する。【解決手段】デジタルビデオカメラ１００において、記録媒体３０９の記録領域を分割してサブ領域を設定し、設定されたサブ領域に映像データを記録する。サブ領域には映像データを管理するためのＦＡＴ３２ファイルシステム８０１が存在し、該ファイルシステム８０１が、分割領域内のＵＤＦファイルシステム８０２と実データが格納された記録済み領域８０４を１つのファイルとして管理する。そして、ＰＣ１２０等の外部の機器に接続された場合に、映像データが記録されたサブ領域を選択的に外部の機器に対して公開する。【選択図】図１２
2008034954.tif 000002
【特許請求の範囲】
【請求項１】
入力された映像データを記録媒体に記録する映像記録再生装置において、
前記記録媒体の記録領域を少なくとも１つのサブ領域に分割して管理する管理手段と、
前記サブ領域に前記映像データを記録する記録手段と、
外部の機器と接続して通信を行う通信手段と、
前記通信手段により外部の機器に接続された場合に、前記映像データが記録されたサブ領域を選択的に外部の機器に対して公開する公開手段とを備えることを特徴とする映像記録再生装置。
【請求項２】
前記外部の機器に対して公開するサブ領域を少なくとも１つ選択させる選択手段を更に備えることを特徴とする請求項１記載の映像記録再生装置。
【請求項３】
前記サブ領域には、前記記録された映像データを管理するためのファイルシステムを有することを特徴とする請求項１又は２記載の映像記録再生装置。
【請求項４】
前記管理手段により前記サブ領域のファイルシステムと前記記録された映像データとが１つのファイルとして構成され、前記公開手段により前記ファイルの少なくとも１つが前記外部の機器に対して公開されることを特徴とする請求項３記載の映像記録再生装置。
【請求項５】
前記設定手段は、ユーザによる操作に応じて前記サブ領域を設定することを特徴とする請求項１乃至４のいずれか１項に記載の映像記録再生装置。
【請求項６】
前記管理手段は、前記サブ領域を管理するための他のファイルシステムを少なくとも１つ備えることを特徴とする請求項３乃至５のいずれか１項に記載の映像記録再生装置。
【請求項７】
前記他のファイルシステムから前記外部の機器に対して公開するファイルシステムを選択するファイルシステム選択手段を更に備えることを特徴とする請求項６記載の映像記録再生装置。
【請求項８】
入力された映像データを記録媒体に記録することが可能な映像記録再生装置の制御方法において、
前記記録媒体の記録領域を少なくとも１つのサブ領域に分割して管理する管理工程と、
前記記録媒体のサブ領域に前記映像データを記録する記録工程と、
前記映像記録再生装置が外部の機器に接続された場合に、前記映像データが記録されたサブ領域を選択的に当該外部の機器に対して公開する公開工程とを備えることを特徴とする制御方法。
【請求項９】
前記外部の機器に対して公開するサブ領域を少なくとも１つ選択させる選択工程とを更に備えることを特徴とする請求項８記載の制御方法。
【請求項１０】
前記サブ領域には、前記記録された映像データを管理するためのファイルシステムを有することを特徴とする請求項８又は９記載の制御方法。
【請求項１１】
前記管理工程にて前記サブ領域のファイルシステムと前記記録された映像データとが１つのファイルとして構成され、前記公開工程にて前記ファイルの少なくとも１つが前記外部の機器に対して公開されることを特徴とする請求項１０記載の制御方法。
【請求項１２】
前記管理工程は、ユーザによる操作に応じて前記サブ領域を設定することを特徴とする請求項８乃至１１のいずれか１項に記載の制御方法。
【請求項１３】
前記映像記録再生装置は、前記サブ領域を管理するための他のファイルシステムを少なくとも１つ備えることを特徴とする請求項１０乃至１２のいずれか１項に記載の制御方法。
【請求項１４】
前記他のファイルシステムから前記外部の機器に対して公開するファイルシステムを選択するファイルシステム選択工程を更に備えることを特徴とする請求項１３記載の制御方法。
【請求項１５】
請求項８乃至１４のいずれか１項に記載の制御方法をコンピュータに実行させるためのコンピュータに読み取り可能なプログラム。
【請求項１６】
入力されたデータを記録媒体に記録する記録装置において、
前記記録媒体の記録領域を少なくとも１つのサブ領域に分割して管理する管理手段と、
前記サブ領域に前記データを記録する記録手段と、
外部の機器と接続して通信を行う通信手段と、
前記通信手段により外部の機器に接続された場合に、前記データが記録されたサブ領域を選択的に外部の機器に対して公開する公開手段とを備えることを特徴とする記録装置。
【発明の詳細な説明】
【技術分野】
【０００１】
本発明は、映像記録再生装置及びその制御方法、並びにプログラムに関し、特に、入力された映像データを記録媒体に記録する記録手段と外部の機器に接続して通信を行う通信手段とを備える映像記録再生装置及びその制御方法、並びにプログラムに関する。
【背景技術】
【０００２】
従来、デジタルビデオカメラやデジタルカメラ等に記録された映像データを保存するためにパーソナルコンピュータ（以下「ＰＣ」という）等に転送し、該ＰＣ内の大容量記録装置に記録したり、光ディスクのようなランダムアクセスメディアに記録していた。
【０００３】
ユーザは、デジタルビデオカメラ等の映像記録再生装置に装着されていた記録媒体をＰＣ側のメモリアダプタに装着し、該記録媒体に記録された映像データをＰＣ内のハードディスク等の大容量記録装置に転送して保存することができる。映像記録再生装置に装着可能な記録媒体としては、例えばコンパクトフラッシュ（登録商標）、ＳＤカード、メモリースティック（登録商標）、ＣＤ−Ｒ／ＲＷ、ＤＶＤ等が挙げられる。
【０００４】
ＰＣ側にメモリアダプタが装備されていない場合は、ＰＣと映像記録再生装置をデジタルインターフェースで接続し、映像記録再生装置内の記録媒体に記録された映像データをＰＣ内の大容量記録装置に転送して記録することもできる。デジタルインターフェースとしては、例えばＵＳＢやＩＥＥＥ１３９４等の高速シリアルインターフェースが挙げられる。
【０００５】
いずれの場合も、ユーザがＰＣ上のアプリケーションソフトウェア（以下、単に「アプリケーション」という）を用いて映像記録再生装置側の記録媒体からＰＣ側の大容量記録装置へのデータ転送の実行を指示することで、データの転送及び保存が行われる。このような場合において、映像記録再生装置側の記録媒体に比べてＰＣ側の大容量記録装置の記録容量が十分に大きければ、ユーザは映像記録再生装置の記録媒体に記録された映像データのサイズを気にすることなく、ＰＣ側の大容量記録装置に転送保存することができる。
【０００６】
しかしながら、映像記録再生装置側の記録媒体が大容量化した場合、ユーザは映像記録再生装置側の記録媒体とＰＣ側の大容量記録装置との容量差を気にしながら、映像データの転送保存を行わなければならなくなる。また、映像データの転送先の記録媒体がＤＶＤやＣＤ−Ｒ／ＲＷのような限られた容量の記憶媒体である場合、映像データのサイズよりも転送先の記憶容量の方が少ない場合が起こりうる。このような場合には、転送先の記録容量に応じて転送する映像データを選択しておく必要があるが、この作業はユーザにとって大きな負担となる。
【０００７】
この問題を解決する方法として、映像記録再生装置側の大容量記録媒体の記録領域を、予め想定される転送先の記録容量に応じて分割しておくことで、ユーザがバックアップ作業を実施する際の作業負担を軽減する技術が提案されている（例えば、特許文献１，２参照）。
【０００８】
ここで、映像記録再生装置内の大容量記録媒体に記録された映像データを、ＰＣ内の大容量記録装置に転送して記録する場合の動作の概略を図２３、図２４を参照して説明する。
【０００９】
図２３において、デジタルビデオカメラ２００は、１ＴＢ（テラバイト）の大容量記録媒体２０１を有し、ＵＳＢインターフェース２１０を介してＰＣ２２０に接続されている。ＰＣ２２０は、ＤＶＤドライブ２３０に接続されている。
【００１０】
ＰＣ２２０は、デジタルビデオカメラ２００が接続されると、該デジタルビデオカメラ２００を外付けの記録装置として認識する。デジタルビデオカメラ２００の大容量記録媒体２０１では、記録領域が分割され、分割された領域に映像データがそれぞれ記録されている。
【００１１】
図２４において、ブラウザ２４０は、ＰＣ２２０上で動作するアプリケーションにより、ＰＣに接続されたディスプレイに表示された画面である。ブラウザ２４０上の表示エリア２５０には、ＰＣ２２０に接続又は内蔵された記録装置の一覧が表示される。そして、デジタルビデオカメラ２００がＰＣ２２０に接続された記録装置の１つ（アイコン２７０）として表示されている。
【００１２】
また、表示エリア２５０には、記録装置の記録領域を複数に分割したサブ領域（フォルダ）が表示可能であり、大容量記録媒体２０１の記録領域を分割した複数のフォルダが表示されている。そして、現在選択されているフォルダ２８０に保存されている映像データの一覧が表示エリア２６０に表示される。
【００１３】
ユーザはこれらの映像データを必要に応じて選択して転送を指示することで、デジタルビデオカメラ２００からＰＣ２２０への転送が開始される。転送データはＤＶＤドライブ２３０にセットされたＤＶＤに書き込まれ、バックアップ作業が実現される。
【特許文献１】特開２００２−３１４９０５号公報
【特許文献２】特開２００４−１７３０００号公報
【発明の開示】
【発明が解決しようとする課題】
【００１４】
しかしながら、上記従来の映像記録再生装置では、表示エリア２５０に一覧表示されたサブ領域の数が多いと、ユーザがその中からバックアップを行いたい映像データを探し出すのは大変手間のかかる作業となる。この映像データを探し出す作業は、大容量記録媒体２０１の容量が多くなればなるほど困難になっていく。
【００１５】
本発明は、上記問題に鑑みて成されたものであり、映像記録再生装置が大容量記録装置を備えている場合に、外部機器にデータ転送を行いたいデータを膨大なデータの一覧から探し出すことなく、容易にデータ転送を実現することができる映像記録再生装置を提供することを目的とする。また、映像記録再生装置の制御方法及び該制御方法を実行するためのプログラムを提供することを目的とする。
【課題を解決するための手段】
【００１６】
上記目的を達成するために、請求項１記載の映像記録再生装置は、入力された映像データを記録媒体に記録する映像記録再生装置において、前記記録媒体の記録領域を少なくとも１つのサブ領域に分割して管理する管理手段と、前記サブ領域に前記映像データを記録する記録手段と、外部の機器と接続して通信を行う通信手段と、前記通信手段により外部の機器に接続された場合に、前記映像データが記録されたサブ領域を選択的に外部の機器に対して公開する公開手段とを備えることを特徴とする。
【００１７】
上記目的を達成するために、請求項８記載の映像記録再生装置の制御方法は、入力された映像データを記録媒体に記録することが可能な映像記録再生装置の制御方法において、前記記録媒体の記録領域を少なくとも１つのサブ領域に分割して管理する管理工程と、前記記録媒体のサブ領域に前記映像データを記録する記録工程と、前記映像記録再生装置が外部の機器に接続された場合に、前記映像データが記録されたサブ領域を選択的に当該外部の機器に対して公開する公開工程とを備えることを特徴とする。
【００１８】
上記目的を達成するために、請求項１６記載の記録装置は、入力されたデータを記録媒体に記録する記録装置において、前記記録媒体の記録領域を少なくとも１つのサブ領域に分割して管理する管理手段と、前記サブ領域に前記データを記録する記録手段と、外部の機器と接続して通信を行う通信手段と、前記通信手段により外部の機器に接続された場合に、前記データが記録されたサブ領域を選択的に外部の機器に対して公開する公開手段とを備えることを特徴とする。
【発明の効果】
【００１９】
本発明によれば、記録媒体の記録領域を少なくとも１つのサブ領域に分割して管理し、当該サブ領域に映像データを記録し、映像記録再生装置が外部の機器に接続された場合に、映像データが記録されたサブ領域を選択的に外部の機器に対して公開する。これにより、映像記録再生装置に多くのデータが記憶されている場合であっても、ユーザはデータ転送を行いたいデータを膨大なデータの一覧から探し出すことなく、容易にデータ転送を実現することができる。
【発明を実施するための最良の形態】
【００２０】
以下、本発明の実施の形態を図面を参照して詳細に説明する。
【００２１】
図１は、本発明の実施の形態に係る映像記録再生装置の一例であるデジタルビデオカメラの構成を示すブロック図である。
【００２２】
図１において、デジタルビデオカメラ１００は、撮像素子３０１と、撮像制御部３０２と、メイン制御部（ＣＰＵ）３０３と、入力部３０４と、入力操作制御部３０５と、表示部３０６と、表示制御部３０７と、通信制御部３０８とを備える。また、記録媒体３０９と、記録再生制御部３１０と、内部メモリ３１１と、画像処理部３１２とを備える。
【００２３】
各制御部は、メインバス３００を介して接続されたメイン制御部３０３によって制御される。なお、制御部間のデータ転送は、メインバス３００を介して行われるが、該メインバス３００を介さずに他のバスを介して行われてもよい。
【００２４】
デジタルビデオカメラ１００では、撮像制御部３０２により撮像素子３０１から映像データを取り込み、画像処理部３１２によって映像の圧縮を行い、内部メモリ３１１を介して記録再生制御部３１０に転送する。
【００２５】
記録再生制御部３１０は、内部メモリ３１１に転送・保存された映像データを音声データ等と多重化し、記録媒体３０９の記録形式に従って該記録媒体３０９に記録する。
【００２６】
一方、入力部３０４がユーザからの操作を受け付け、入力操作制御部３０５がメイン制御部３０３にユーザからの入力情報を通知し、該メイン制御部３０３により全体の動作が決定される。例えば、ユーザが記録開始の指示を入力部３０４から行った場合には、映像データを記録媒体３０９に記録するための一連の処理が開始される。また、その際の動作状況を示す情報は、表示制御部３０７によって表示部３０６に表示される。
【００２７】
通信制御部３０８は、ＵＳＢインターフェースを介して、外部にあるパーソナルコンピュータ（以下、「ＰＣ」という）等の機器に接続することが可能である。外部の機器がＵＳＢインターフェースに接続された場合には、直ちに接続相手との通信が確立され、データの転送等が実現される。
【００２８】
次に、図１の記録再生制御部３１０により記録媒体３０９に記録される映像データの記録制御方法について説明する。
【００２９】
図２は、図１における記録再生制御部３１０の構成を示すブロック図である。
【００３０】
図２において、ＭＵＸ１９０５は、内部メモリ３１１から読み出された映像データ（ＶＩＤＥＯ）と入力された音声データ（ＡＵＤＩＯ）を多重化する。多重化されたデータ（映像・音声多重化データ）は、内部メモリ３１１に一時記録され、書き込み・読み出し部１９０１にて内部メモリ３１１から読み出されて記録媒体３０９に記録される。映像・音声多重化データの記録媒体３０９上の記録位置は、アクセスエリア管理部１９０２によって制御・管理される。
【００３１】
管理データ生成部１９０３は、記録媒体３０９に記録された映像・音声多重化データの情報を管理するための管理データを生成して記録媒体３０９に記録する。ＤＥＭＵＸ１９０４は、記録媒体３０９から読み出された映像・音声多重化データを映像データと音声データに分離してそれぞれを出力する。  
【００３２】
次に、アクセスエリア管理部１９０２による記録領域の制御方法について説明する。
【００３３】
図３は、図１における記録媒体３０９上に設定される記録領域を示す図である。
【００３４】
図３において、エリア４００は、管理データ生成部１９０３により生成された管理データであって記録媒体３０９全体を管理するための管理データが格納される領域である。エリア４１０，４２０は分割された設定済の記録領域である。このエリア４１０，４２０は、ユーザ操作によりデータの記憶に関する設定が行われ、その設定に基づいてデータが書き込まれる領域である。設定の詳細は後述する。エリア４３０は、記録媒体３０９上の未設定領域である。
【００３５】
エリア４１１，４２１は、分割された記録領域内の記録済み領域である。エリア４１２，４２２は、分割された記録領域内の未記録領域である。
【００３６】
次に、ユーザが記録媒体３０９上に記録領域を設定する際に表示部３０６に表示される表示画面について図４を参照して説明する。本実施形態では、記憶媒体３０９の記憶領域をどのように用いるかをユーザ操作により設定することが可能である。
【００３７】
図４は、ユーザによる記録領域の設定時に表示部３０６に表示される記録領域設定画面の一例を示す図である。
【００３８】
図４において、記録領域設定画面５００は、表示制御部３０７によって表示部３０６に表示される。記録領域設定画面５００上では、上述したエリア４１０，４２０に相当する記録領域の設定が表示されている。
【００３９】
記録領域設定画面５００上の表示アイテム５０２は、当該記録領域の記録形式を示している。例えば、「ＤＶＤ」と設定されている場合には、当該記録領域に記録される映像・音声多重化データがＤＶＤ形式により記録されることを意味する。なお、表示アイテム５０２では、「ＤＶＤ」と表示されているが、これに限られず、「ＤＶＤ−ＶＩＤＥＯ」や「ＤＶＤ−ＶＲ」等を表示してもよく、またこれらの中から選択可能であってもよい。
【００４０】
表示アイテム５０３は、当該記録領域の記録容量を示している。例えば、「４．７ＧＢ」と設定されている場合には、４．７ＧＢ分の記録領域が記録媒体３０９上に確保されることを示す。
【００４１】
表示アイテム５０４は、当該記録領域に記録される映像・音声多重化データの撮影日時を示している。なお、表示アイテム５０４では、撮影日時に限らず、撮影期間や記録日時を表示してもよく、またこれらの中から選択可能であってもよい。表示アイテム５０５は、当該記録領域における記録済み容量を示している。
【００４２】
セレクタ５０１は、ユーザにより選択された記録領域を識別するための表示枠である。セレクタ５０１にて選択された記録領域に対して映像データの記録が行われる。なお、記録済み領域が存在する記録領域への記録については、上書きか否かを選択できるようにしてもよい。
【００４３】
図５（ａ）〜図５（ｃ）は、ユーザ操作により新たな記録領域を設定する際に、表示部３０６に表示される記録領域設定画面の一例を示す図である。図６は、記録媒体３０９上に新たに設定された記録領域を示す図である。
【００４４】
ユーザは、記録領域設定画面５００上で新たな記録領域６０１をセレクタで選択し（図５（ａ））、当該記録領域６０１の詳細設定をダイアログ６０２にて設定する（図５（ｂ））。これにより、図５（ｃ）に示すように、映像データ記録用の新たな記録領域６０３が設定され、記録媒体３０９上に詳細設定に基づく記録領域が新たに確保される。
【００４５】
このように新たに設定された記録領域は、例えば、図６に示すようにエリア７０１として確保される。図５に示すように、このエリア７０１が選択されている状態であれば、映像・音声多重化データがエリア７０１に記録される。
【００４６】
図７は、図５に示す記録領域設定画面にて記録媒体３０９上に設定される記録領域の構成を示す図である。
【００４７】
図７において、記録媒体３０９上で分割された記録領域（以下、「分割領域」という）内における記録位置は、ＦＡＴ３２ファイルシステム８０１により管理される。このＦＡＴ３２ファイルシステム８０１は、分割領域内のみを管理する。分割領域には、ＦＡＴ３２ファイルシステム８０１に続いて、サブファイルシステムとしてＵＤＦファイルシステム８０２の管理領域が存在する。分割領域には、更にデータ領域８０３が存在する。
【００４８】
なお、ＦＡＴ３２ファイルシステムは公知のファイルシステムであるが、大容量記録媒体の記録位置を管理ができるファイルシステムであれば、これに限定されず、他の種類のファイルシステムであってもよい。
【００４９】
図８は、分割領域７０１に記録される実際のデータと、ＦＡＴ３２ファイルシステム８０１及びＵＤＦファイルシステム８０２の関係を示す図である。
【００５０】
図８において、ＦＡＴ３２ファイルシステム８０１は、分割領域内のＵＤＦファイルシステム８０２と実データが格納された記録済み領域８０４を１つのファイルとして管理する（９０１）。
【００５１】
一方、ＵＤＦファイルシステム８０２は、分割領域内の記録済み領域８０４のみを管理する（９０２）。ここでＵＤＦファイルシステムとしたのは、この分割領域が、図５の記録領域設定画面５００において記録形式をＤＶＤと設定されているためである。すなわち、ＤＶＤへの記録を行う際のファイルシステムはＵＤＦが使用されるために、映像データはＵＤＦファイルシステムで管理する必要がある。なお、図４の記録領域設定画面５００において、他の記録形式が設定された場合には、その記録形式に対応したファイルシステムが使用される。これらファイルシステム及び記録形式毎の管理データは、管理データ生成部１９０３によって生成され記憶部３０９に記録される。なお、ファイルシステムと記憶形式を対応づけたデータは、予め内部メモリ３１１に記憶されていてもよい。
【００５２】
次に、映像データを記録若しくは読み出す際に、記録媒体３０９上の論理アドレスを分割領域毎の仮想論理アドレスに変換する方法について図９を参照して説明する。
【００５３】
図９は、記録媒体３０９上の論理アドレスを分割領域毎の仮想論理アドレスに変換する方法を説明するための図である。
【００５４】
図９において、２１００は記録媒体３０９全体の領域、２１０４は分割領域、２１０６はサブファイルシステム領域、２１１１はデータ領域である。
【００５５】
全体の領域２１００は、論理アドレスＬＢＡ０ｘ００００００００（２１０１）からＬＢＡ０ｘ０４００００００（２０１５）の範囲である。分割領域２１０４は、例えば、論理アドレスＬＢＡ０ｘ００２０００００（２０１２）からＬＢＡ０ｘ００２８８０００（２０１３）の範囲である。
【００５６】
分割領域２１０４内のＦＡＴ３２ファイルシステムは、仮想論理アドレスとして、ＶＬＢＡ＿０  ０ｘ００００００００（２１０７）からＶＬＢＡ＿０  ０ｘ０００８Ａ３００（２０１９）の範囲を管理する。
【００５７】
サブファイルシステム領域２１０６は、分割領域２１０４内のＦＡＴ３２ファイルシステムにおける仮想論理アドレスＶＬＢＡ＿０  ０ｘ００００２３００（２１０８）からＶＬＢＡ＿０  ０ｘ０００８Ａ３００（２０１９）の範囲で管理される。そして、当該分割領域２１０４内のＵＤＦファイルシステムは、仮想サブ論理アドレスＶＬＢＡ＿１  ０ｘ００００００００（２１１０）からＶＬＢＡ＿１  ０ｘ０００４４０００（２１１２）の範囲を管理する。このような関係の上で、アクセスエリア管理部１９０２によって、各分割領域へのデータの書き込み及び読み出しが行われる。
【００５８】
次に、上述した記録媒体３０９全体の構造を管理するための情報（管理データ）が記録されるエリア４００の詳細について説明する。
【００５９】
図１０は、記録媒体３０９上のエリア４００の詳細を示す図である。
【００６０】
図１０において、エリア４００は、システムコンフィグレーションエリア１８００と、ＦＡＴ３２ファイルシステム１８１０と、ＦＡＴ３２ファイルシステム１８２０の３つの領域に区分される。
【００６１】
システムコンフィグレーションエリア１８００には、記録媒体３０９上の各分割領域のサブファイルシステムを示す情報と、現在選択されている記録用の分割領域の情報が格納される。システムコンフィグレーションエリア１８００に格納された情報の詳細を図１１に示す。
【００６２】
図１１において、システムコンフィグレーションエリア１８００には、少なくとも、現在選択されている記録領域のエントリへのポインタ２００１と、分割された現在の記録領域数２００２と、分割された現在の記録領域のエントリ２００３が格納される。各エントリ２００３には、各記録領域へのポインタ、各記録領域のサブファイルシステムの形式、及び記録領域長を示す情報がそれぞれ格納される。
【００６３】
図１０に戻り、ＦＡＴ３２ファイルシステム１８１０は、各分割領域をそれぞれ１つのファイルとして記録媒体３０９全体の管理をする。例えば、分割された記録領域４１０，４２０を示すエントリ１８１１，１８１２がＦＡＴ３２ファイルシステム１８１０によって管理される。
【００６４】
ＦＡＴ３２ファイルシステム１８２０は、各分割領域にそれぞれ記録されているデータを１つのファイルとして管理する。例えば、分割された記録領域４１０に記録されている映像データ１８２５（Ｄａｔａ１），１８２６（Ｄａｔａ２）を示すエントリ１８２１，１８２２がＦＡＴ３２ファイルシステム１８２０によって管理される。また、分割された記録領域４２０に記録されている映像データ１８２７（ＤａｔａＮ＋１），１８２８（ＤａｔａＮ＋２）を示すエントリ１８２３，１８２４がＦＡＴ３２ファイルシステム１８２０によって管理される。なお、上述したように、これらファイルシステムはＦＡＴ３２ファイルシステムに限られず、他の形式のファイルシステムであってもよい。
【００６５】
次に、デジタルビデオカメラ１００の撮影時の動作処理について図１２を参照して説明する。
【００６６】
図１２は、図１のデジタルビデオカメラ１００における撮影時の動作処理を示すフローチャートである。本処理は、メイン制御部３０３によって内部メモリ３１１等から読み出されたプログラムに基づいて実行される制御処理である。
【００６７】
図１２において、撮影モードがスタートすると、メイン制御部３０３は、記録媒体３０９上に映像データの記録が可能に設定された記録領域、例えば、図６に示した記録領域７０１が設定されているか否かを判別する（ステップＳ２２０１）。この結果、設定されていなければ、ステップＳ２２０３に移行する。ステップＳ２２０３では、メイン制御部３０３は記録領域の設定をユーザに促す。記録領域の設定は、図５（ａ）〜図５（ｃ）に示した記録領域設定画面５００上で行われる。
【００６８】
ユーザ操作に応じた記録領域の設定が行われると、設定された各情報が図１０に示したエリア４００内のシステムコンフィグレーションエリア１８００に格納される。ここでは、現在の記録領域のエントリへのポインタ２００１、記録領域数２００２、及び記録領域のエントリ２００３が各々更新される。
【００６９】
ステップＳ２２０１の判別の結果、記録領域が設定されているときは、メイン制御部３０３は新たな記録領域を設定するか否かを判別する（ステップＳ２２０２）。この結果、ユーザが入力部３０４を介して新たな記録領域を設定するよう操作したときは、ステップＳ２２０３へ進む一方、設定しないときは、ステップＳ２２０４へ進む。
【００７０】
ステップＳ２２０４では、入力部３０４を介したユーザからの操作入力を入力操作制御部３０５により確認する。撮影開始要求があるときは撮影を開始して（ステップＳ２２０４でＹＥＳ）、ステップＳ２２０５へ進む。一方、撮影開始要求がないときは、ステップＳ２２１１に移行する。
【００７１】
ステップＳ２２０５では、撮像制御部３０２によって撮影された映像データが画像処理部３１２によって圧縮加工され、内部メモリ３１１を介して記録再生制御部３１０に転送される。そして、記録再生制御部３１０内のＭＵＸ１９０５によって多重化された記録用データ（映像データ）を内部メモリ３１１に生成する。このとき、表示アイテム５０２でユーザにより選択された記録形式がＤＶＤであるときは、ＭＰＥＧ２のプログラムストリームとしての映像データが生成される。
【００７２】
ステップＳ２２０６では、ステップＳ２２０５にて用意された映像データを、記録領域、即ち、システムコンフィグレーションエリア１８００のポインタ２００１によって示される現在の記録領域エントリが示す、現在の記録領域へのポインタによって示される論理アドレスへの書き込みを、アクセスエリア管理部１９０２が行う。このとき、上述の図９に示した全体領域２１００、分割領域２１０４、及びサブファイルシステム領域２１０６の関係から映像データの記録を行うべき論理アドレスが決定される。
【００７３】
ステップＳ２２０５〜Ｓ２２０６の処理は、ユーザからの撮影終了要求があるまで（ステップＳ２２０７でＹＥＳ）継続される。撮影終了要求があると、システム制御部３０３はステップＳ２２０８にて管理領域、即ち、図７に示したＦＡＴ３２ファイルシステム８０１及びＵＤＦファイルシステム８０２を更新する。
【００７４】
次に、ステップＳ２２０９では、記録した映像データに付随する管理情報（管理データ）が生成される。管理データは、例えば記録形式がＤＶＤの場合は「ＶＩＤＥＯ＿ＴＳ．ＩＦＯ」や「ＶＴＳ＿＃＃＿＃．ＩＦＯ」等の情報である。
【００７５】
次に、ステップＳ２２１０において、ステップＳ２２０９で生成された管理データが、分割領域内のＤＶＤ規格にて規定される所定の記録領域に記録される。
【００７６】
ステップＳ２２１１では、システム制御部３０３は撮影モードを終了するか否かを判別し、撮影モードを終了せずに継続する場合は（ステップＳ２２１１でＮＯ）、ステップＳ２２０２へ戻る。一方、撮影モードを終了する場合は（ステップＳ２２１１でＹＥＳ）、本処理を終了する。
【００７７】
上記処理により、デジタルビデオカメラ１００により撮影された映像データが記録媒体３０９に記録される。
【００７８】
次に、デジタルビデオカメラ１００が外部の機器に接続された場合の動作処理について説明する。
【００７９】
図１３は、外部の機器に接続されたデジタルビデオカメラ１００の一例を示す図である。
【００８０】
図１３において、デジタルビデオカメラ１００は、外部機器としてＰＣ１２０にＵＳＢケーブル１１０を介して接続される。ＰＣ１２０には、ＤＶＤドライブ１３０が接続（又は内蔵）されている。なお、ＵＳＢ上のプロトコルはマスストレージプロトコルであるが、公知なので説明は省略する。
【００８１】
デジタルビデオカメラ１００内の記録媒体３０９には上記方法によって既に映像データが記録されている。デジタルビデオカメラ１００では、記録媒体３０９に記録されている映像データのうちどの映像データをＰＣ１２０に公開するかを図１４に示す接続モード設定画面上で設定することが可能である。
【００８２】
図１４は、図１３のＰＣ１２０に対する接続モードの設定時に表示する接続モード設定画面の一例を示す図である。
【００８３】
図１４において、接続モード設定画面１１００は、表示制御部３０７によって表示部３０６に表示される。接続モード設定画面１１００上では、セレクタ１１０３によりバックアップモード（Back Up Mode）１１０１か、編集モード（Authoring Mode）１１０２が選択可能である。
【００８４】
接続モード設定画面１１００上で、ユーザが入力部３０４によりセレクタ１１０３を操作してバックアップモード１１０１が選択されると、図１５に示す公開領域選択画面１２０１を表示部３０６に表示する。
【００８５】
ユーザは、この公開領域選択画面１２０１上でＰＣ１２０に公開したい記録領域を選択することができる。本実施の形態では、例えば、記録領域１２０２が選択されたものとする。
【００８６】
バックアップモード１１０１が選択された場合、図９に示した分割領域２１０４のみがＰＣ１２０に対して公開される。ここでＰＣ１２０に対して公開される記録領域の詳細を図１６に示す。
【００８７】
図１６において、分割領域２１０４は公開領域１００１である。公開領域１００１において、当該領域の先頭を論理アドレスのＬＢＡ０ｘ００００００００として公開することで、ＰＣ１２０はこの公開領域にのみアクセス可能な状態となる。
【００８８】
ここで、公開領域１００１は、エリア８０１に格納されたＦＡＴ３２ファイルシステムによって管理される。そして、このＦＡＴ３２ファイルシステムは、上述したサブファイルシステムであるＵＤＦが格納されたエリア８０２とその実データが格納された記録済み領域８０４を１つのファイルとして管理している（９０１）。即ち、この状態では、ＰＣ１２０は、デジタルビデオカメラ１００を１つのデータファイルのみが記録された記録装置として認識することになる。
【００８９】
図１７は、ＰＣ１２０に対する記録領域の公開により当該ＰＣ１２０上に表示されるブラウザの一例を示す図である。
【００９０】
図１７において、ブラウザ１６００は、ＰＣ１２０上で動作するアプリケーションにより表示された画面である。ブラウザ１６００上の表示エリア１６１０には、ＰＣ１２０に接続又は内蔵された記録装置の一覧が表示される。表示エリア１６１０には、デジタルビデオカメラ１００がＰＣ１２０に接続された記録装置の１つ（アイコン１６３０）として表示されている。そして、このアイコン１６３０が選択されると、デジタルビデオカメラ１００内の記録媒体３０９に記録されているデータのうち、予め公開領域選択画面１２０１上で選択された分割領域に記録されている映像データが表示エリア１６２０に表示される。
【００９１】
表示エリア１６２０に表示された映像データは、例えば、ＩＳＯイメージとして扱われている「２００５０９２３．ＩＳＯ」というファイル１６４０のみである。このファイル１６４０は図１６における領域１００４を表している。ＩＳＯイメージは、例えば、ＣＤやＤＶＤ等の光ディスクにデータをそのまま記録するときに用いられる。この状態において、ＰＣ１２０上で動作する一般的なコピーアプリケーションにより、このＩＳＯイメージデータを用いることでデータを簡単に複製することができる。
【００９２】
ＰＣ１２０上で動作するコピーアプリケーションにより表示される表示画面の一例を図１８に示す。
【００９３】
図１８において、表示画面２３００は、ＣＤやＤＶＤへの記録を行うコピーアプリケーションがＰＣ１２０上で実行された際に当該ＰＣ１２０上に表示される画面である。表示画面２３００上で、ユーザが書き込み元データボタン２３０１を押下して所望のＩＳＯイメージデータを指定し、書き込み先ドライブボタン２３０２を押下してＤＶＤドライブ１３０を選択する。その後に、コピーボタン２３０３がクリック押下されると、図９に示した分割領域２１０４に記録されている映像データの複製をＤＶＤへ書き込むことが容易に実現することができる。
【００９４】
また、ユーザは、公開領域選択画面１２０１上でＰＣ１２０に公開したい記録領域を複数選択することができる。公開する記録領域が複数選択されたときに表示する公開領域選択画面を図１９に示す。
【００９５】
図１９において、公開領域選択画面１２０１上で公開用の領域として選択された記録領域には選択アイコン１３０１が表示される。この場合、ＰＣ１２０には、図１０のエリア１８１０に格納されたＦＡＴ３２ファイルシステムにより管理される領域が公開される。そのため、ＰＣ１２０は、ＦＡＴ３２ファイルシステムが格納されたエリア１８１０の先頭を論理アドレス０として認識する。このとき、ＦＡＴ３２ファイルシステムは、図１９の公開領域選択画面１２０１にて選択された記録領域をファイルとして管理するように構成される。
【００９６】
そして、デジタルビデオカメラ１００にて２つの記録領域が公開用の領域として選択されていた場合には、ＰＣ１２０上のブラウザ１６００では、図２０に示すように、エリア１６２０に２つのＩＳＯイメージ１６４０，２４０１が表示される。そして、ユーザは、例えば、コピーアプリケーションを起動して図１８に示す表示画面を表示させ、それぞれのＩＳＯイメージを選択してＤＶＤに記録することができ、２つの映像データのバックアップを簡単に行うことができる。
【００９７】
一方、図２１に示すように、接続モード設定画面１１００上でセレクタ１１０３により編集モード１１０２が選択された場合、図１６に示した領域１００２がＰＣ１２０に対して公開される。即ち、ＰＣ１２０は記録媒体３０９をＤＶＤメディアとして認識する。このとき、ＰＣ１２０では、図２２に示すブラウザ１７００が表示される。
【００９８】
編集モード１１０２が選択された場合、デジタルビデオカメラ１００はＤＶＤドライブとして認識される。そして、その中身は、表示エリア１７０２に示すように、ＤＶＤ規格のファイル群が公開される。この状態において、ＰＣ１２０上で動作する一般的なＤＶＤ編集アプリケーションやＤＶＤ再生アプリケーションにより、データのバックアップだけでなく編集や表示を行うことができる。このような編集モード１１０２を設けることにより、ユーザに対する利便性を向上させることができる。
【００９９】
また、図１０に示すＦＡＴ３２ファイルシステムが格納されたエリア１８２０を外部の機器に対して公開することにより、記録された映像データをそれぞれファイルとして管理していることから、すべての映像データを外部の機器上で閲覧することも可能である。さらに、図１４、図１５に示した設定を行うことで、選択的に必要な映像データだけを外部の機器に公開することができる。
【０１００】
上記実施の形態によれば、ユーザは、大容量記録媒体上で記録領域を分割して映像データを記録するが可能となり、映像データが管理しやすくなる。また、大容量記録媒体に記録された映像データをインターフェースを介して外部の機器に公開する場合には、必要な映像データのみをファイルシステムを含んだ状態で１つのファイルとして公開することでバックアップを容易に実現することができる。また、映像データそのものを見せたい場合でも、選択的にモードを切り替えることで、ユーザの所望の方法でアクセスすることが可能なる。
【０１０１】
上記実施の形態において、インターフェースにＵＳＢを用いていたが、これに限定されず、他のインターフェースであってもよい。また、外部機器もＰＣに限定されることはなく、他の複写機やプリンタ、テレビジョン、携帯端末等であってもよい。
【０１０２】
また、公開される記録領域の設定については、外部機器の接続前に行ってもよいし、接続後に行ってもよい。なお、接続後に行う場合には、ユーザが設定画面に移行すると、ＵＳＢインターフェースが一時切断状態に移行し、設定が完了後に再接続が行われる。
【０１０３】
上記実施の形態では、本発明をデジタルビデオカメラの適用した場合について説明したが、これに限定されず、他の映像記録再生装置や記録装置、例えばデジタルカメラ、携帯端末、ＤＶＤレコーダ等であってもよい。
【０１０４】
また、デジタルビデオカメラ内の記録媒体は、大容量のものであればよく、ハードディスク、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード等であってもよい。
【０１０５】
本発明の目的は、上述した実施の形態の機能を実現するソフトウェアのプログラムコードを記録した記録媒体を、システム或いは装置に供給することによっても達成される。その場合、そのシステム或いは装置のコンピュータ（またはＣＰＵやＭＰＵ等）が記録媒体に格納されたプログラムコードを読み出して実行する。該記録媒体から読み出されたプログラムコード自体が上述した実施の形態の機能を実現することになり、そのプログラムコード及び該プログラムコードを記録した記録媒体は本発明を構成することになる。
【０１０６】
また、プログラムコードを供給するための記録媒体としては、例えば、フロッピー（登録商標）ディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【０１０７】
コンピュータが読み出したプログラムコードを実行することにより、上述した実施の形態の機能が実現されるだけではない。すなわち、プログラムコードの指示に基づき、コンピュータ上で稼動しているＯＳ（オペレーティングシステム）等が実際の処理の一部または全部を行い、その処理によって上述した実施の形態の機能が実現される場合も含まれる。
【０１０８】
更に、記録媒体から読み出されたプログラムコードが、コンピュータに挿入された機能拡張ボードやコンピュータに接続された機能拡張ユニットに備わるメモリに記録される。そして、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれる。
【０１０９】
また、コンピュータが読み出したプログラムコードを実行することにより、上述した実施の形態の機能が実現されるだけではない。すなわち、プログラムコードの指示に基づき、コンピュータ上で稼働しているＯＳなどが実際の処理の一部または全部を行い、その処理によって上述した実施の形態の機能が実現される場合も、本発明に含まれることは云うまでもない。
【０１１０】
この場合、上記プログラムは、該プログラムを記録した記録媒体から直接、又はインターネット、商用ネットワーク、若しくはローカルエリアネットワーク等に接続された不図示の他のコンピュータやデータベース等からダウンロードすることにより供給される。
【図面の簡単な説明】
【０１１１】
【図１】本発明の実施の形態に係る映像記録再生装置の一例であるデジタルビデオカメラの構成を示すブロック図である。
【図２】図１における記録再生制御部３１０の構成を示すブロック図である。
【図３】図１における記録媒体３０９上に設定される記録領域を示す図である。
【図４】ユーザによる記録領域の設定時に表示部３０６に表示する記録領域設定画面の一例を示す図である。
【図５】新たな記録領域の設定時に表示する記録領域設定画面の一例を示す図であり、（ａ）はセレクタによる選択時、（ｂ）は記録領域の各種情報設定時、（ｃ）設定終了時を示す。
【図６】記録媒体３０９上に新たに設定された記録領域を示す図である。
【図７】図５に示す記録領域設定画面にて記録媒体３０９上に設定される記録領域の構成を示す図である。
【図８】分割領域に記録される実際のデータとＦＡＴ３２ファイルシステム８０１及びＵＤＦファイルシステム８０２の関係を示す図である。
【図９】記録媒体３０９上の論理アドレスを分割領域毎の仮想論理アドレスに変換する方法を説明するための図である。
【図１０】記録媒体３０９上のエリア４００の詳細を示す図である。
【図１１】図１０におけるシステムコンフィグレーションエリア１８００に格納された情報の詳細を示す図である。
【図１２】図１のデジタルビデオカメラ１００における撮影時の動作処理を示すフローチャートである。
【図１３】外部の機器に接続されたデジタルビデオカメラ１００の一例を示す図である。
【図１４】図１３のＰＣ１２０に対する接続モードの設定時に表示する接続モード設定画面の一例を示す図である。
【図１５】接続モードの選択時に表示部３０６に表示する公開領域選択画面の一例を示す図である。
【図１６】ＰＣ１２０に対して公開される記録領域の詳細を示す図である。
【図１７】ＰＣ１２０に対する記録領域の公開により当該ＰＣ１２０上に表示されるブラウザの一例を示す図である。
【図１８】ＰＣ１２０上で動作するコピーアプリケーションにより表示される表示画面の一例を示す図である。
【図１９】公開する記録領域が複数選択されたときに表示する公開領域選択画面の一例を示す図である。
【図２０】複数選択された記録領域の公開により当該ＰＣ１２０上に表示されるブラウザの一例を示す図である。
【図２１】編集モードが選択されたときの接続モード設定画面の一例を示す図である。
【図２２】編集モードの選択時にＰＣ１２０上に表示されるブラウザの一例を示す図である。
【図２３】従来の映像記録再生装置がＰＣに接続された状態の一例を示す図である。
【図２４】映像記録再生装置２００の接続時にＰＣ２２０上に表示されるブラウザの一例を示す図である。
【符号の説明】
【０１１２】
１００，２００  デジタルビデオカメラ
１２０，２２０  ＰＣ
１３０，２３０  ＤＶＤドライブ
２４０，１６００，１７００  ブラウザ
３０３  メイン制御部
３０６  表示部
３０９  記録媒体
３１０  記録再生制御部
３１１  内部メモリ
４１０，４２０，７０１  記録領域
５００  記録領域設定画面
１１００  接続モード設定画面
【図１】
2008034954.tif 000003
【図２】
2008034954.tif 000004
【図３】
2008034954.tif 000005
【図４】
2008034954.tif 000006
【図５】
2008034954.tif 000007
【図６】
2008034954.tif 000008
【図７】
2008034954.tif 000009
【図８】
2008034954.tif 000010
【図９】
2008034954.tif 000011
【図１０】
2008034954.tif 000012
【図１１】
2008034954.tif 000013
【図１２】
2008034954.tif 000014
【図１３】
2008034954.tif 000015
【図１４】
2008034954.tif 000016
【図１５】
2008034954.tif 000017
【図１６】
2008034954.tif 000018
【図１７】
2008034954.tif 000019
【図１８】
2008034954.tif 000020
【図１９】
2008034954.tif 000021
【図２０】
2008034954.tif 000022
【図２１】
2008034954.tif 000023
【図２２】
2008034954.tif 000024
【図２３】
2008034954.tif 000025
【図２４】
2008034954.tif 000026